(57)【特許請求の範囲】
【請求項１】
カラオケリモコン装置を用いて、カラオケ演奏装置の使用態様に対応した演奏モードを設定するためのシステムであって、前記カラオケリモコン装置に設けられた演奏モードデータ記憶手段及び演奏モードデータ送信手段と、前記カラオケ演奏装置に設けられた演奏モードデータ受信手段及び演奏モード設定手段と、を備え、
前記演奏モードデータ記憶手段は、少なくとも、前記カラオケ演奏装置の単独利用に適した演奏モードデータを記憶し、
前記演奏モードデータ送信手段は、前記カラオケリモコン装置と前記カラオケ演奏装置とをペアリングさせる際に、前記カラオケ演奏装置の使用態様に対応する演奏モードデータを前記カラオケ演奏装置に送信し、
前記演奏モードデータ受信手段は、前記送信されてきた演奏モードデータを受信し、
前記演奏モード設定手段は、前記受信した演奏モードデータを用いて、前記カラオケ演奏装置の演奏モードを設定する、
ことを特徴とするカラオケ演奏モード設定システム。
【請求項２】
前記演奏モードデータは、前記カラオケ演奏装置を多人数で利用する際に適した演奏モードデータを含む、
ことを特徴とする請求項１に記載のカラオケ演奏モード設定システム。
【発明の詳細な説明】
【技術分野】
【０００１】
本発明は、カラオケ演奏装置の演奏モードを設定するためのシステムに関するものであり、特に、単独でカラオケ演奏装置を利用する際の単独利用演奏モードと、多人数でカラオケ演奏装置を利用する際の通常利用演奏モードとを容易に切り替えて設定することが可能なシステムに関するものである。
【背景技術】
【０００２】
現在普及しているカラオケ演奏装置は、マイク及び演奏音のボリューム、演奏短縮（２コーラスフェードアウト）、連続演奏の有無、曲間ＢＧＶ又は曲間ＢＧＭの有無、歌唱採点の有無、１曲に対する演奏時間の制限（早送り、早戻し、一時停止の回数制限）等、種々の演奏モードを設定できるようになっている。このような演奏モードは、カラオケ店の営業形態、利用者の所望等に応じて、サービスマンやカラオケ店員、あるいはカラオケ利用者により設定変更することができる。
【０００３】
従来、演奏モードの設定に関する技術が種々提案されている（例えば、特許文献１、特許文献２参照）。特許文献１に記載された技術は、楽曲の演奏態様、選曲態様、背景映像の選択態様等を各利用者専用にアレンジできるようにした音響映像装置に関するものである。この音響映像装置は、伴奏音楽データを再生する装置と、伴奏音楽に対応する歌詞情報を含む映像データを再生する装置とを備えている。そして、再生した歌詞を含む映像を受像機に映し出すと共に、再生した伴奏音楽に利用者の歌唱音声をミキシングできるようにした音響映像装置に、利用者の個人データを記録する記録手段と、記録手段から読出した利用者の個人データに基づいて楽曲の再生態様を各利用者専用にアレンジする楽曲操作手段とを備えている。
【０００４】
また、特許文献２に記載された技術は、カラオケ演奏モードの他に、曲間ＣＭモードや曲間ＢＧＭモードなどの複数の実行モードを有する多モード・カラオケ装置に関するものである。この多モード・カラオケ装置は、実行モードごとに音響設定データを登録する音響設定テーブルと、この音響設定テーブルの登録に基づいて実行モード別に音響制御を行う音響処理部と、音響設定テーブルの登録変更操作を支援する制御手段とを備えている。
【０００５】
ところで、近年、多人数のグループで歌唱を楽しむのではなく、一人で気ままに歌唱を楽しむというカラオケ演奏装置の使用方法が注目を浴びている。このようなカラオケ演奏装置の単独利用は、他人の目を気にする必要がないため、ストレス発散や、歌唱練習を行う際に最適な利用方法であり、カラオケ演奏装置の単独利用を積極的に受け入れているカラオケ店もある。
【０００６】
カラオケ演奏装置を単独利用する際には、多人数で利用する通常の利用態様と異なり、単独利用に適した演奏モードを設定することが好ましい。すなわち、カラオケ演奏装置の単独利用態様では、スピーカではなく、ヘッドホンやイヤホンを利用してカラオケ演奏を聴取する場合があり、また、他の利用者に歌唱音声を聞かせる必要はなく、さらに、同一曲について歌唱が苦手な部分だけを何度も歌唱する等、自らが所望する態様でカラオケ演奏装置を利用することができる。
【先行技術文献】
【特許文献】
【０００７】
【特許文献１】特開平１０−６３２８１号公報
【特許文献２】特開２００２−２４４６７４号公報
【発明の概要】
【発明が解決しようとする課題】
【０００８】
上述したように、カラオケ演奏装置を単独利用する際には、単独利用に適した演奏モードに設定することが好ましい。しかし、カラオケ演奏装置の演奏モード設定項目は多岐にわたり、演奏モードの設定に馴れていない利用者が適切な設定を行うことは難しく、設定を行うことができたとしても手間が掛かることになる。また、不適切な設定を行ってしまった場合には、カラオケ演奏装置を用いた歌唱の楽しさが損なわれることになる。
【０００９】
この点、上述した従来の技術は、カラオケ演奏装置における演奏モードの設定を容易に行うことを目的としているが、各個人の好みに応じた演奏モードの設定を前提としており、カラオケ演奏装置の単独利用に適した演奏モードと、カラオケ演奏装置を多人数で利用する場合の通常の演奏モードとを切り替えて、容易に設定できるようにすることまでは考慮されていない。
【００１０】
すなわち、従来の技術は、通常の演奏モードと単独利用に適した演奏モードとを切り替えることについて何ら考慮されておらず、近年注目されているカラオケ演奏装置の単独利用態様に対して、そのまま適用することはできない。
【００１１】
本発明は、上述した事情に鑑み提案されたもので、カラオケ演奏装置の演奏モードを設定する際に、通常の演奏モードと単独利用に適した演奏モードとを適切かつ容易に切り替えることが可能なカラオケ演奏モード設定システムを提供することを目的とする。
【課題を解決するための手段】
【００１２】
本発明は、上述した目的を達成するため、以下の特徴を有している。すなわち、本発明のカラオケ演奏モード設定システムは、カラオケリモコン装置を用いて、カラオケ演奏装置の使用態様に対応した演奏モードを設定するためのシステムであって、カラオケリモコン装置に設けられた演奏モードデータ記憶手段及び演奏モードデータ送信手段と、カラオケ演奏装置に設けられた演奏モードデータ受信手段及び演奏モード設定手段とを備えたことを特徴とするものである。
【００１３】
演奏モードデータ記憶手段は、少なくともカラオケ演奏装置の単独利用に適した演奏モードデータを記憶するための手段である。演奏モードデータ送信手段は、カラオケリモコン装置とカラオケ演奏装置とをペアリングさせる際に、カラオケ演奏装置の使用態様に対応する演奏モードデータをカラオケ演奏装置に送信するための手段である。
【００１４】
演奏モードデータ受信手段は、カラオケリモコン装置の演奏モードデータ送信手段から送信されてきた演奏モードデータを受信するための手段である。演奏モード設定手段は、演奏モードデータ受信手段により受信した演奏モードデータを用いて、カラオケ演奏装置の演奏モードを設定するための手段である。
【００１５】
また、上述した構成において、演奏モードデータは、カラオケ演奏装置の通常利用に適した演奏モードデータを含ませることが可能である。
【００１６】
このような構成からなるカラオケ演奏モード設定システムでは、カラオケリモコン装置の演奏モードデータ記憶手段に演奏モードデータを記憶しておき、カラオケリモコン装置とカラオケ演奏装置とをペアリングさせる際に、演奏モードデータ送信手段の機能により、カラオケ演奏装置の使用態様に対応する演奏モードデータをカラオケ演奏装置に送信する。カラオケ演奏装置では、演奏モードデータ受信手段の機能により送信されてきた演奏モードデータを受信し、演奏モード設定手段の機能により、受信した演奏モードデータを用いて演奏モードを設定する。
【００１７】
ここで、演奏モードデータ記憶手段に、カラオケ演奏装置の単独利用に適した演奏モードデータを記憶しておくことにより、カラオケ演奏装置を単独利用する場合に、当該単独利用に適した演奏モードデータを用いてカラオケ演奏装置の演奏モードを設定することができる。
【００１８】
また、単独利用に適した演奏モードデータだけではなく、多人数でカラオケ演奏装置を利用する通常の演奏態様に適した演奏モードデータを記憶しておき、カラオケ演奏装置の使用態様に応じて、いずれか一方の演奏モードデータを選択して送信することにより、カラオケ演奏装置の使用態様に適した演奏モードを容易に設定するができる。
【発明の効果】
【００１９】
本発明のカラオケ演奏モード設定システムによれば、カラオケ演奏装置の単独利用に適した演奏モードデータをカラオケリモコン装置に記憶しておき、カラオケリモコン装置とカラオケ演奏装置とをペアリングさせる際に、カラオケリモコン装置からカラオケ演奏装置に対して、カラオケ演奏装置の単独利用に適した演奏モードデータを送信する。これにより、カラオケ演奏装置を単独利用する際に、適切かつ容易に単独利用に適した演奏モードに設定することができる。
【００２０】
また、カラオケ演奏装置の単独利用に適した演奏モードデータと、カラオケ演奏装置を多人数で利用する際に適した演奏データモードの双方をカラオケリモコン装置に記憶しておき、カラオケ演奏装置の使用態様に応じて、いずれか一方の演奏モードデータを選択して送信することにより、カラオケ演奏装置の利用態様に適した演奏モードを容易に設定することができる。
【図面の簡単な説明】
【００２１】
【図１】本発明の実施形態に係るカラオケ演奏モード設定システムを説明する機能説明図。
【図２】本発明の実施形態に係るカラオケ演奏モード設定システムを適用したカラオケ演奏装置の構成を示すブロック図。
【図３】演奏モードデータの構成例を示す説明図。
【発明を実施するための形態】
【００２２】
以下、図面を参照して、本発明のカラオケ演奏モード設定システムの実施形態について説明する。図１〜図３は本発明の実施形態に係るカラオケ演奏モード設定システムを示すもので、図１はカラオケ演奏モード設定システムを説明する機能説明図、図２はカラオケ演奏モード設定システムを適用したカラオケ演奏装置の構成を示すブロック図、図３は演奏モードデータの構成例を示す説明図である。
【００２３】
＜システムの概要＞
本発明の実施形態に係るカラオケ演奏モード設定システム１０は、図２に示すように、演奏モードデータを記憶したカラオケリモコン装置２２と、カラオケリモコン装置２２から演奏モードデータを受信して、受信した演奏モードデータを用いて演奏モードの設定を行うカラオケ演奏装置２０（カラオケ本体２１）とにより構成される。すなわち、本発明の実施形態に係るカラオケ演奏モード設定システム１０は、図１に示すように、演奏モードデータ記憶手段２２ｄ、演奏モードデータ送信手段（リモコンデータ送受信手段２２ａ）、演奏モードデータ受信手段（送受信手段３５）、演奏モード設定手段３７を備えている。演奏モードデータ記憶手段２２ｄ及び演奏モードデータ送信手段（リモコンデータ送受信手段２２ａ）は、カラオケリモコン装置２２が備える機能手段であり、演奏モードデータ受信手段（送受信手段３５）及び演奏モード設定手段３７は、カラオケ演奏装置２０（カラオケ本体２１）が備える機能手段である。
【００２４】
＜カラオケ演奏装置＞
本発明の実施形態に係るカラオケ演奏モード設定システム１０を適用するカラオケ演奏装置２０は、図２に示すように、カラオケ本体２１、カラオケリモコン装置２２、ヘッドホン２３、スピーカ２４、マイクロホン２５、表示装置２６、ミキシングアンプ２７を備えている。
【００２５】
＜カラオケリモコン装置＞
カラオケリモコン装置２２は、カラオケ本体２１の送受信手段３５との間で有線方式又は無線方式によりデータの送受信を行うようになっている。このカラオケリモコン装置２２は、リモコンデータ送受信手段２２ａとして機能する電子回路及びプログラム、楽曲検索手段２２ｂとして機能するプログラム、楽曲索引データベース２２ｃ、演奏モードデータ記憶手段２２ｄとして機能するＲＡＭ又はＥＥＰＲＯＭ等の記憶装置、ユーザインタフェース機能を備えた入出力表示部２２ｅを備えている。このカラオケリモコン装置２２に付帯するスイッチ類や、入出力表示部２２ｅに表示される各種のアイコン等を操作することにより、選曲操作等が行われる。
【００２６】
＜楽曲検索手段／楽曲索引データベース＞
楽曲検索手段２２ｂは、利用者の指示に基づき、楽曲索引データベース２２ｃを参照して楽曲を検索するためのプログラムからなる。楽曲索引データベース２２ｃは、カラオケ演奏装置２０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段２２ｂにより楽曲検索を行うと、例えば、カラオケリモコン装置２２の入出力表示部２２ｅに、検索結果が一覧表示される。
【００２７】
＜演奏モードデータ記憶手段＞
演奏モードデータ記憶手段２２ｄは、少なくとも、カラオケ演奏装置２０の単独利用に適した演奏モードデータを記憶するためのＲＡＭやＥＥＰＲＯＭ等の記憶装置からなる。本実施形態では、図３に示すように、演奏モードデータ記憶手段２２ｄに記憶する演奏モードデータとして、カラオケリモコン装置２２を単独利用する際に適した演奏モードデータ（単独利用演奏モードデータ）と、カラオケリモコン装置２２を多人数で利用する際に適した演奏モードデータ（通常利用演奏モードデータ）との２種類がある。なお、演奏モードの設定項目は、例えば、ボリューム設定（マイク／ミュージック）、演奏短縮設定（２コーラスフェードアウト）、連続演奏設定（予約待ち行列に記憶されている楽曲を続けて演奏するか否か）、曲間ＢＧＶ及び曲間ＢＧＭの有無設定、歌唱採点の有無設定、１曲に対する演奏時間制限（早送り、早戻し、一時停止の使用回数制限）がある。
【００２８】
単独利用演奏モードは、カラオケルームを単独で利用し、ヘッドホン２３等を用いてカラオケ演奏音及び歌唱音声を聴取する利用態様に適した演奏モードである。すなわち、単独利用演奏モードは、他の利用者を意識することなく、一人の利用者がカラオケ演奏装置２０を独占して使用すると共に、カラオケ演奏音及び歌唱音声をヘッドホン２３等で聴取することを前提としている。この場合には、マイク及びミュージックのボリュームを通常利用演奏モードよりも小さくし、演奏短縮設定（２コーラスフェードアウト）を行わず、効率的にカラオケ演奏を行うために連続演奏を行い（次曲の演奏開始時にスタートボタンを押さない）、曲間ＢＧＶ及び曲間ＢＧＭを流し、歌唱採点を行い、使用時間に制限を設けないという設定を行う。
【００２９】
通常利用演奏モードは、多人数でカラオケルームを共有する利用態様に適した演奏モードである。すなわち、通常利用演奏モードは、スピーカ２４を用いてカラオケ演奏音及び歌唱音声を他の利用者にも聴取させ、さらに、他の利用者との歌唱頻度（歌唱時間）の公平を保つことを前提としている。この場合には、マイク及びミュージックのボリュームを単独利用演奏モードよりも大きくし、演奏短縮設定（２コーラスフェードアウト）を行ない、歌唱者の交代を前提として連続演奏を行わず（次曲の演奏開始時にスタートボタンを押す）、曲間ＢＧＶ及び曲間ＢＧＭを流さず、歌唱採点を行わず、使用時間に制限を設けるという設定を行う。
【００３０】
なお、各演奏モードの設定は、上述した態様に限定されるものではなく、カラオケ店の営業方針、客層、営業時間等、種々の要因に応じて適宜変更して実施することができる。
【００３１】
＜リモコンデータ送受信手段（演奏モードデータ受信手段）＞
リモコンデータ送受信手段２２ａは、カラオケリモコン装置２２とカラオケ本体２１との間で種々のデータを送受信するための電子回路及びプログラムからなる。本実施形態では、リモコンデータ送受信手段２２ａとカラオケ本体２１の送受信手段３５との間で、赤外線通信によりデータの送受信が行われる。このリモコンデータ送受信手段２２ａは、演奏モードデータ受信手段としての機能を備えており、カラオケリモコン装置２２とカラオケ演奏装置２０とをペアリングさせる際に、カラオケ演奏装置２０の使用態様に対応させて、演奏モードデータ記憶手段２２ｄに記憶された演奏モードデータをカラオケ演奏装置２０に送信するようになっている。
【００３２】
＜入出力表示部＞
入出力表示部２２ｅは、例えば、タッチセンサを備えた液晶表示装置２６からなり、表示画面に種々のアイコン表示等が行われ、アイコン表示等をタッチペンによりタッチすることにより、楽曲の検索、選曲予約、音程キーの変更、カラオケリモコン装置２２とカラオケ演奏装置２０とをペアリング等、種々の操作を行うことができる。
【００３３】
＜マイクロホン＞
マイクロホン２５は、歌唱音声の入力を行うための装置である。マイクロホン２５から入力された歌唱音声信号は、ミキシングアンプ２７により、音楽再生制御手段３８から送出される演奏音声信号とミキシングされると共に増幅され、ヘッドホン２３又はスピーカ２４へ出力される。なお、マイクロホン２５からの音声入力信号を、Ａ／Ｄコンバータによりデジタル変換して、歌唱採点等に使用してもよい。
【００３４】
＜表示装置＞
表示装置２６は、カラオケ楽曲に関連した背景映像や歌詞テロップ等を表示するための装置で、例えば、液晶ディスプレイ等により構成される。
【００３５】
＜カラオケ本体＞
カラオケ本体２１は、図２に示すように、中央制御手段３１、ＲＯＭ３２、ＲＡＭ３３、ＨＤＤ３４、送受信手段３５、予約管理手段３６、演奏モード設定手段３７、音楽再生制御手段３８、映像再生制御手段３９を備えている。なお、本実施形態では、送受信手段３５が演奏モードデータ受信手段としての機能を兼ね備えている。
【００３６】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３７】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に予約待ち行列３３ａと、カラオケリモコン装置２２から受信した演奏モードデータ３３ｂが記憶されるようになっている。予約待ち行列３３ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３８】
＜ＨＤＤ＞
ＨＤＤ３４は、大容量記憶装置として機能するもので、楽曲データベース３４ａ、映像データベース３４ｂが格納されている。なお、ＨＤＤ３４に替えて、あるいはＨＤＤ３４と共に、データを書き替え可能なＤＶＤ等の大容量記憶装置を用いてもよい。
【００３９】
＜楽曲データベース／映像データベース＞
楽曲データベース３４ａは、複数のカラオケ楽曲について、演奏データ及び歌詞描出データが同期されて構成される楽曲データについて、楽曲ＩＤと対応付けてそれぞれ構成されたデータベースである。歌詞描出データは、演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００４０】
＜送受信手段＞
送受信手段３５は、カラオケ本体２１とカラオケリモコン装置２２との間で、データの送受信を行うための電子回路及びプログラムからなる。本実施形態では、この送受信手段３５が、カラオケリモコン装置２２から演奏モードデータを受信するための演奏モードデータ受信手段として機能する。また、本実施形態では、赤外線通信により、カラオケ本体２１とカラオケリモコン装置２２との間でデータの送受信が行われる。
【００４１】
＜予約管理手段＞
予約管理手段３６は、利用者により楽曲検索手段２２ｂの機能を用いて検索され、利用者の選択指示に基づいて選曲予約された楽曲ＩＤを演奏順に並べて予約待ち行列３３ａを生成し、この予約待ち行列３３ａをＲＡＭ３３に格納して管理するためのプログラムからなる。
【００４２】
＜音楽再生制御手段＞
音楽再生制御手段３８は、楽曲ＩＤに基づいて楽曲データベース３４ａから抽出された演奏データを、ミキシングアンプ２７に出力するための電子回路である。なお、演奏データがＭＩＤＩ規格の演奏制御データである場合には、この演奏制御データに基づいて、音源データをデジタル再生すると共にアナログ変換してミキシングアンプ２７に出力する。上述したように、ミキシングアンプ２７は、マイクロホン２５から入力された歌唱者の歌唱音声信号と、音楽再生制御手段３８から送出される演奏音声信号とをミキシングすると共に、アンプ機能により増幅してヘッドホン２３又はスピーカ２４より出力させるための装置である。
【００４３】
＜映像再生制御手段＞
映像再生制御手段３９は、カラオケ楽曲の演奏中に、映像データベース３４ｂから抽出した背景映像データと、演奏データに含まれる歌詞描出データに基づく歌詞文字とを、当該カラオケ楽曲の演奏データに同期させて表示装置２６に出力するためのプログラムからなる。
【００４４】
＜演奏モード設定手段＞
演奏モード設定手段３７は、カラオケリモコン装置２２から受信した演奏モードデータ３３ｂを用いて、カラオケ演奏装置２０の演奏モードを設定するためのプログラムからなる。例えば、カラオケ演奏装置２０を単独利用する場合には、単独利用に適した演奏モード（単独利用演奏モード）に設定し、カラオケ演奏装置２０を多人数で利用する場合には、通常利用に適した演奏モード（通常利用演奏モード）に設定する。
【００４５】
＜演奏モード設定の手順＞
本実施形態のカラオケ演奏モード設定システム１０を用いて、カラオケ演奏装置２０の演奏モードを設定するには、予め、カラオケ演奏装置２０の使用態様に対応させて設定すべき演奏モードデータを、カラオケリモコン装置２２の演奏モードデータ記憶手段２２ｄに記憶させておく。この演奏モードデータは、例えば、図３に示すように、カラオケリモコン装置２２を単独利用する際に適した演奏モードデータ（単独利用演奏モードデータ）と、カラオケリモコン装置２２を多人数で利用する際に適した演奏モードデータ（通常利用演奏モードデータ）との２種類である。
【００４６】
予め、カラオケルームにカラオケリモコン装置２２が据え置かれている営業形態の場合には、カラオケ演奏装置２０とカラオケリモコン装置２２とをペアリングさせる際に、カラオケ演奏モード設定システム１０の機能を用いて、サービスマン等が当該カラオケルームの利用態様に適した演奏モードを設定しておく。
【００４７】
一方、サービスフロント等において、カラオケルームの利用者にカラオケリモコン装置２２を貸し出す営業形態の場合には、当該利用者が利用するカラオケルームの利用態様に応じて適切な演奏モードを設定可能としたカラオケリモコン装置２２を貸与する。すなわち、カラオケリモコン装置２２の演奏モードデータ記憶手段２２ｄに記憶された演奏モードデータの中から、カラオケリモコン装置２２を貸与する利用者の利用態様に応じて適切な演奏モードデータを送信するように設定しておき、利用者がカラオケルームに入室して、カラオケリモコン装置２２とカラオケ演奏装置２０とをペアリングさせると、当該利用者が利用するカラオケルームの利用態様に応じて適切な演奏モードが設定される。
【００４８】
この際、１台のカラオケリモコン装置２２において、複数種類の演奏モードデータを記憶させると共に、送信する演奏モードデータを選択できるようにしておき、フロントマンが演奏モードデータを選択したカラオケリモコン装置２２を貸与してもよいし、予め、カラオケルームの利用態様に応じて演奏モードデータがそれぞれ設定されているカラオケリモコン装置２２を選択して貸与してもよい。
【００４９】
カラオケリモコン装置２２とカラオケ演奏装置２０とのペアリング手順は、例えば、以下の通りである。カラオケリモコン装置２２に電源が投入されると、カラオケリモコン装置２２の入出力表示部２２ｅにペアリング開始画面が表示される。
【００５０】
そして、利用者等がペアリング開始画面を操作して、ペアリングを開始させると、カラオケリモコン装置２２からカラオケ演奏装置２０に対して、カラオケリモコン装置２２の識別番号（リモコン・シリアルナンバー）を送信する。カラオケリモコン装置２２のリモコン・シリアルナンバーを受信したカラオケ演奏装置２０では、受信したリモコン・シリアルナンバーを記憶すると共に、当該カラオケ演奏装置２０の識別番号（演奏装置・シリアルナンバー）及び記憶したリモコン・シリアルナンバーをカラオケリモコン装置２２に送信する。
【００５１】
カラオケ演奏装置２０から、演奏装置・シリアルナンバー及びリモコン・シリアルナンバーを受信したカラオケリモコン装置２２は、自らのリモコン・シリアルナンバーと、受信したリモコン・シリアルナンバーとを照合して、両者が一致した場合に、受信した演奏装置・シリアルナンバーを記憶し、ペアリングを完了する。
【００５２】
なお、本実施形態では、単独利用演奏モードと通常利用演奏モードの２種類の演奏モードについて設定を行う場合を説明したが、さらに他の演奏モードの設定が行えるようにしてもよい。
【００５３】
＜他の実施形態＞
本発明のカラオケ演奏モード設定システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置２０を単体で動作させるのではなく、ホスト装置にネットワーク接続したカラオケ演奏端末として動作させてもよい。
【符号の説明】
【００５４】
１０  カラオケ演奏モード設定システム
２０  カラオケ演奏装置
２１  カラオケ本体
２２  カラオケリモコン装置
２２ａ  リモコンデータ送受信手段
２２ｂ  楽曲検索手段
２２ｃ  楽曲索引データベース
２２ｄ  演奏モードデータ記憶手段
２２ｅ  入出力表示部
２３  ヘッドホン
２４  スピーカ
２５  マイクロホン
２６  表示装置
２７  ミキシングアンプ
３１  中央制御手段
３２  ＲＯＭ
３３  ＲＡＭ
３３ａ  予約待ち行列
３３ｂ  演奏モードデータ
３４  ＨＤＤ
３４ａ  楽曲データベース
３４ｂ  映像データベース
３５  送受信手段
３６  予約管理手段
３７  演奏モード設定手段
３８  音楽再生制御手段
３９  映像再生制御手段
【図１】
0005709782.tif 000002
【図２】
0005709782.tif 000003
【図３】
0005709782.tif 000004